(57)【要約】【課題】店側から発信するメッセージを簡易な手法で顧客に提供できるようにする。【解決手段】商品販売データ処理装置の背面の略全幅に渡り側面形状が円弧状に出っ張って形成された背面部１１４を設け、この背面部１１４の略全幅に渡りその円弧に沿った形状に形成された透光性を有するバックパネル１１３を背面部１１４に対して着脱自在に取り付け、背面部１１４とバックパネル１１３との間にシート保持部によってシート１１２ａ，１１２ｂを位置付けるようにした。シート保持部は、バックパネル１１３の円弧内周形状に沿わせて配置したシート１１２ａ，１１２ｂの上下縁を位置決めすることにより、シート１１２ａ，１１２ｂをその復元力によってバックパネル１１３に密着させて保持する。【選択図】図３
2011008812.tif 000002
【特許請求の範囲】
【請求項１】
装置内部の後部に位置し、装置の前方から後方に向かう空気流を排出する開口部と、
装置の側面の背面側に形成され、前記開口部から排出された空気流を装置外部に排出する通風孔と、
装置の後部に取り付けられ、前記開口部から排出された空気流の流れの方向を前記通風孔へと変える排気路が内側に形成されたバックカバーと、
透光性を有し、前記バックカバーの背面部に対して着脱自在に取り付けられ、前記背面部との間にシートを位置付けるバックパネルと、
を備えることを特徴とする商品販売データ処理装置。
【請求項２】
バックパネルが内面に装着されるシートとともに前記背面部に取り付けられる、ことを特徴とする請求項１記載の商品販売データ処理装置。
【請求項３】
バックパネルの内側にシートを保持するシート保持部が形成されている、ことを特徴とする請求項１又は２記載の商品販売データ処理装置。
【請求項４】
バックカバーは、背面部が装置の側面方向から見た側面形状が円弧状に出っ張って形成され、外側に円弧面を有し、
バックパネルは、内側が前記背面部の円弧面に沿った円弧状に形成され、内側に円弧面を有する、ことを特徴とする請求項１乃至３記載の商品販売データ処理装置。
【発明の詳細な説明】
【技術分野】
【０００１】
本発明は、ＥＣＲやＰＯＳ端末等の商品販売データ処理装置に関する。
【背景技術】
【０００２】
ＥＣＲやＰＯＳ端末等の商品販売データ処理装置を用いる店舗では、店側から発信するメッセージ、例えば商品やサービスの広告、安売り情報等を顧客に提供する手法として、各種の手法を採用している。そのうちの１つとして、商品販売データ処理装置の顧客側表示器を利用した手法が従来から広く普及している。この手法は、顧客側表示器として液晶表示パネルという大画面が採用されることに伴い一般化した手法であり、液晶表示パネルによって形成された顧客側表示器に各種のメッセージを表示するというものである。
【０００３】
なお、商品名や価格等を表示するいわゆるＰＯＰカードの表示構造の一例については特許文献１に記載されている。また、商品販売データ処理装置を用いる店舗で使用されるわけではないが、名刺大から葉書大程度の大きさの広告・宣伝媒体を顧客に提供する手法の一例については特許文献２に記載されている。
【発明の概要】
【発明が解決しようとする課題】
【０００４】
液晶表示パネルによって形成された顧客側表示器に各種のメッセージを表示するメッセージの提供手法を採用しようとする場合には、当然のことながら、顧客側表示器として液晶表示パネルを必要とする。このため、液晶表示パネルやその表示コントラーラ等のための部品コストが高くなり、装置も大型化してしまう。このため、普及機への採用が困難であるという問題がある。そこで、特に普及機においては、特許文献１、２に開示されているような簡易なメッセージの提供手法の実現が望まれる。
【０００５】
本発明の目的は、店側から発信するメッセージを簡易な手法で顧客に提供できるようにすることである。
【課題を解決するための手段】
【０００６】
本発明の商品販売データ処理装置は、装置内部の後部に位置し、装置の前方から後方に向かう空気流を排出する開口部と、装置の側面の背面側に形成され、前記開口部から排出された空気流を装置外部に排出する通風孔と、装置の後部に取り付けられ、前記開口部から排出された空気流の流れの方向を前記通風孔へと変える排気路が内側に形成されたバックカバーと、透光性を有し、前記バックカバーの背面部に対して着脱自在に取り付けられ、前記背面部との間にシートを位置付けるバックパネルと、を備えることを特徴とする。
【発明の効果】
【０００７】
本発明によれば、顧客に対面する装置の背面の略全幅に渡り形成された背面部（バック
カバー）とバックパネルとの間にシートを保持することができるため、シートにメッセー
ジを記載することで、店側から発信するメッセージを簡易な手法で顧客に提供することが
できる。
【図面の簡単な説明】
【０００８】
【図１】本発明の実施の一形態として、ＰＯＳ端末をその正面側から示す斜視図である。
【図２】ＰＯＳ端末をその背面側から示す斜視図である。
【図３】バックカバーを外した状態の背面側から見たＰＯＳ端末とバックカバーとＰＥＴフィルムシートとメッセージシートとバックパネルとを示す分解斜視図である。
【図４】バックカバーをその外側から見た斜視図である。
【図５】バックパネルをその内側から見た斜視図である。
【図６】バックパネルとメッセージシートとＰＥＴフィルムシートとをその内側から見た斜視図である。
【図７】バックカバーをその内側から見た斜視図である。
【図８】ＰＯＳ端末のコントローラ（コントロールボックスフレームにハードウェア構成物が収納されたもの）の斜視図である。
【図９】コントロールボックスフレームの斜視図である。
【図１０】コントロールボックスフレームが装着された本体フレームに対して、キーボードユニットとディスプレイユニットとプリンタユニットと各種カバー（フロントカバー、サイドカバー、バックカバー）とを装着する状態を示す分解斜視図である。
【図１１】本体フレームに対して、キーボードユニットとディスプレイユニットとプリンタユニットとコントロールボックスフレームとを装着する状態を示す分解斜視図である。
【図１２】ディスプレイユニットとプリンタユニットとが装着された本体フレームに対して、キーボードユニットとコントロールボックスフレームとフロントカバーとを装着する状態を示す右側面図である。
【図１３】コントロールボックスフレームが装着されてディスプレイユニットとプリンタユニットとバックカバーとが装着された本体フレームに対して、キーボードユニットとフロントカバーとを装着する状態を示す右側面図である。
【図１４】全体の右側面図である。
【発明を実施するための形態】
【０００９】
本発明の実施の一形態を図１ないし図１３に基づいて説明する。本実施の形態は、商品販売データ処理装置として、ＰＯＳ端末１０１への適用例を示す。
【００１０】
図１は、ＰＯＳ端末１０１をその正面側から示す斜視図である。図２は、ＰＯＳ端末１０１をその背面側から示す斜視図である。ＰＯＳ端末１０１は、手前右側にキーボード１０２、手前左側に紙幣置き１０３、奥右側にオペレータ用と客面用とのそれぞれのディスプレイ１０４ａ，１０４ｂ、奥左側にプリンタ１０５が配置されて構成されている。
【００１１】
図３は、バックカバーを外した状態の背面側から見たＰＯＳ端末１０１とバックカバーとＰＥＴフィルムシートとメッセージシートとバックパネルとを示す分解斜視図である。ＰＯＳ端末１０１は、着脱自在のバックカバー１１１を有する。図３に示すように、バックカバー１１１を取り外すと、ＰＯＳ端末１０１の内部に収納されたコントローラ２０１の後部が露出する。
【００１２】
これに対して、図２に示すＰＯＳ端末１０１の後部構造は、ＰＯＳ端末１０１の後部にバックカバー１１１が取り付けられ、このバックカバー１１１に二枚のシート１１２ａ，１１２ｂを介してバックパネル１１３が取り付けられて構成されている。二枚のシート１１２ａ，１１２ｂとして、一枚はＰＥＴフィルムシート１１２ａ、もう一枚はメッセージシート１１２ｂが用意されている。
【００１３】
図４は、バックカバー１１１をその外側から見た斜視図である。バックカバー１１１は、その後部側の背面部１１４が円弧状に形成された樹脂による射出成形品である。背面部１１４は、ＰＯＳ端末１０１の背面の略全幅に渡り、ＰＯＳ端末１０１の側面方向から見た側面形状が円弧状に出っ張って形成された円弧面である。このような背面部１１４は、バックカバー１１１の表面よりもやや奥まった位置に形成されている。こうして形成された背面部１１４の形状によって、バックカバー１１１の表面には段差１１５が形成されている。そして、背面部１１４には、その上部の左右位置及び中央位置の三ヶ所と下部の左右位置の二ヶ所との合計五ヶ所に連結孔１１６が形成され、下部の中央位置の一ヶ所に位置決め孔１１７が形成されている。
【００１４】
図５は、バックパネル１１３をその内側から見た斜視図である。バックパネル１１３は、バックカバー１１１に形成された背面部１１４の略全幅に渡り、その背面部１１４に沿った円弧状に形成された透光性を有する樹脂部材である。このようなバックパネル１１３には、その上辺の左右位置及び中央位置の三ヶ所と下部の左右位置の二ヶ所との合計五ヶ所に連結爪１１８が形成され、下辺の中央位置の一ヶ所に位置決め突起１１９が形成されている。五個の連結爪１１８は、弾性的に撓むように形成され、弾性力及び復元力を発揮する。これらの連結爪１１８は、バックカバー１１１に形成された連結孔１１６に撓みながら係合し、バックパネル１１３をバックカバー１１１に着脱自在に装着させる。また、こうして連結爪１１８が連結孔１１６に係合してバックパネル１１３がバックカバー１１１に装着された状態では、バックパネル１１３の位置決め突起１１９がバックカバー１１１の位置決め孔１１７に挿入され、バックパネル１１３とバックカバー１１１との連結状態をより確実にする。
【００１５】
このようなバックパネル１１３は、円弧状となった内側に、シートを保持するためのシート保持部１２０を有する。このシート保持部１２０は、上辺の左右位置及び中央位置の三箇所と下辺の左右中央の三箇所との合計六箇所の位置に形成された保持突起１２０ａ〜ｆによって形成されている。これらの保持突起１２０ａ〜ｆは、バックパネル１１３の円弧状となった内周面から所定の距離を隔ててその内周面に対向するように形成されている
。そして、上辺の左右位置及び中央位置の三箇所に形成されたシート保持部１２０は、上辺の左右位置及び中央位置の三ヶ所に形成された連結爪１１８と一体的に形成されている。こうして形成されたシート保持部１２０は、バックパネル１１３の円弧内周形状に沿わせて配置した二枚のシート１１２ａ，１１２ｂの上下縁を位置決めすることにより、これらのシート１１２ａ，１１２ｂをその復元力によってバックパネル１１３に密着させて保持する。そこで、バックパネル１１３にシート保持部１２０によって保持された二枚のシート１１２ａ，１１２ｂは、背面部１１４とバックパネル１１３との間にそれぞれ位置付けられる。
【００１６】
図６は、バックパネル１１３とメッセージシート１１２ｂとＰＥＴフィルムシート１１２ａとをその内側から見た斜視図である。メッセージシート１１２ｂは、その表面側、つまりＰＯＳ端末１０１の裏面側にメッセージ１２１が記録されたシート状物である（図３参照）。メッセージシート１１２ｂは、ある程度の柔軟性を有していればどのような素材によっても形成することができる。例えば、紙やプラスチックフィルム等をメッセージシート１１２ｂとして用いることができる。このようなメッセージシート１１２ｂは、例えばＰＯＳ端末１０１が用いられる店舗側で簡単に用意可能である。ＰＥＴフィルムシート１１２ａは、ＰＥＴフィルムによって形成されたシートである。このＰＥＴフィルムシート１１２ａは、ある程度の復元性を有するため、バックパネル１１３にシート保持部１２０によってメッセージシート１１２ｂと共に保持された場合、その復元力によってメッセージシート１１２ｂをバックパネル１１３の内周面に密着させる。
【００１７】
図７は、バックカバー１１１をその内側から見た斜視図である。図３に示すように、バックカバー１１１を取り外すと、ＰＯＳ端末１０１の内部に収納されたコントローラ２０１の後部が露出する。このコントローラ２０１の後部には、背面から見て右側に第１の排気用開口部２０２が形成されている。この第１の排気用開口部２０２の奥には、図示しない第１のファンが取り付けられ、コントローラ２０１の前方から後方に向けた空気流を生成する。そして、図３に示すように、ＰＯＳ端末１０１の左側面、背面から見て右側面にはその背面近くに位置させて第１の通風孔１５１が形成されている。このような構造上、コントローラ２０１の第１の排気用開口部２０２から排出された空気流を第１の通風孔１５１からＰＯＳ端末１０１の外部に排気する必要がある。そこで、バックカバー１１１には、第１の排気用開口部２０２と第１の通風孔１５１とを連結する排気路１２２が形成され、この排気路１２２を介して第１の排気用開口部２０２から排出された空気流の流れの方向を直角に曲げ、第１の通風孔１５１からＰＯＳ端末１０１の外部に排気させるような構成が採用されている。この場合、第１のファンに対応して配置されている第１の排気用開口部２０２の配置高さに対して、第１の通風孔１５１は低い位置に配置されている。そこで、バックカバー１１１に形成された排気路１２２は、第１の排気用開口部２０２に対面する位置から第１の通風孔１５１に向かうに従い、下方向けて傾斜して形成されている。また、バックカバー１１１は、前述したように、樹脂の射出成形品である。そこで、図４に示すように、バックカバー１１１の表面側には、排気路１２２を一体成形するための凹部１２３が形成されている。この凹部１２３は、排気路１２２を形成するための金型に設けられた入子の形状が必然的にそのまま現れたものであり、それ自体は特段の機能を果たすものではない。
【００１８】
図８は、ＰＯＳ端末１０１のコントローラの斜視図である。コントローラ２０１は、コントロールボックスフレーム２０３にハードウェア構成物２０４を収納した構造のものである。コントロールボックスフレーム２０３は、その中央よりもやや先端側に段部２０５を有する。この段部２０５は、コントロールボックスフレーム２０３の切欠形状によって形成され、コントロールボックスフレーム２０３の先端側の高さを他の部分の高さよりも低くするように形成されている。
【００１９】
図９は、コントロールボックスフレーム２０３の斜視図である。コントロールボックスフレーム２０３は、扁平形状のフレーム構造体である。このようなコントロールボックスフレーム２０３は、図９に示すように、その内部が仕切り板ＳＰによって仕切られ、正面から見て右側の空間と左側の空間とが３：１〜４：１程度の割合で区切られている。便宜上、仕切り板ＳＰによって仕切られた右側の空間を右空間２０６、左側の空間を左空間２０７と呼ぶ。仕切り板ＳＰにも、段部２０５を形成するための切欠形状が形成されている。
【００２０】
コントロールボックスフレーム２０３の右空間２０６の側の右側壁には、前方側に第２の排気用開口部２０８が形成され、第２の排気用開口部２０８以外の位置にはマザーボードを出し入れするためのマザーボード装着用開口部２０９が形成されている。マザーボード装着用開口部２０９の一部は、第３の排気用開口部２０９ａを兼ねている。コントロールボックスフレーム２０３の右空間２０６の側の背面壁には、各種のコネクタ２１０（図３及び図８参照）を外部に露出させるための複数個のコネクタ用開口部２１１が形成されている。
【００２１】
コントロールボックスフレーム２０３の左空間２０７の側の左側壁には、冷却用開口部２１２が形成されている。コントロールボックスフレーム２０３の左空間２０７の側の背面壁には、前述した第１の排気用開口部２０２が形成されている。そして、コントロールボックスフレーム２０３の前面壁には、各種の開口部２１３が形成されている。
【００２２】
図８に戻り、ハードウェア構成物２０４について説明する。コントロールボックスフレーム２０３の右空間２０６には、手前側に寄せてＨＤＤ２１４が配置され、その奥側には底面近くにマザーボード２１５が配置されている。マザーボード２１５は、図示しないＣＰＵやメモリ等を搭載している。ＣＰＵは熱源となる。このため、ＣＰＵの上には第３のファン２１６が取り付けられている。この第３のファン２１６は、その排気口２１６ａをコントロールボックスフレーム２０３のマザーボード装着用開口部２０９の一部に兼ねられた第３の排気用開口部２０９ａに対面させて配置されている。マザーボード２１５は、マザーボード装着用開口部２０９を介してコントロールボックスフレーム２０３に引き出し自在に装着される。また、コントロールボックスフレーム２０３の右空間２０６には、第２の排気用開口部２０８の裏側に位置させて第２のファン２１７も取り付けられている。
【００２３】
コントロールボックスフレーム２０３の右空間２０６には、背面壁に取り付けられたコネクタ基板２１８が配置されている。このコネクタ基板２１８は、前述した複数個のコネクタ２１０（図３及び図８参照）を搭載する。
【００２４】
コントロールボックスフレーム２０３の右空間２０６には、仕切り板ＳＰの側壁に取り付けられた接続用ボード２１９が配置されている。この接続用ボード２１９は、コネクタ２１０やＨＤＤ２１４等と図示しないリード線を介して接続され、これらのコネクタ２１０やＨＤＤ２１４等とマザーボード２１５に搭載されたＣＰＵとを接続する役割を担う。この役割を果たすために、マザーボード２１５と接続用ボード２１９とには、コントロールボックスフレーム２０３に対するマザーボード２１５の装着動作に伴い接続される図示しないコネクタがそれぞれ設けられている。また、接続用ボード２１９には、拡張ボード２２０を装着するための拡張ボード用コネクタ２２１が複数個設けられており、これらの拡張ボード用コネクタ２２１には複数枚の拡張ボード２２０が差し込まれている。拡張ボード用コネクタ２２１に差し込まれた拡張ボード２２０は、接続用ボード２１９を介してマザーボード２１５に搭載されたＣＰＵに接続される。
【００２５】
コントロールボックスフレーム２０３の左空間２０７には、奥側に位置させて電源ユニット２２２が収納され、手前側に位置させて電源保護装置（ＵＰＳ）２２３が収納されている。熱源となる電源ユニット２２２の配置によって、左空間２０７からは熱を逃がす必要が生ずる。そこで、コントロールボックスフレーム２０３の背面壁には、その背面壁に形成された第１の排気用開口部２０２に位置させて図示しない第１のファンが取り付けられ、この第１のファンの作動によって左空間２０７から熱が逃がされる。また、電源ユニット２２２から発生した熱は、コントロールボックスフレーム２０３の冷却用開口部２１２からも逃がされる。
【００２６】
ここで、図８には図示しないが、電源ユニット２２２の一部は分割され、コントロールボックスフレーム２０３の右空間２０６の手前側において、ＨＤＤ２１４と接続用ボード２１９との間の部分に配置されている。
【００２７】
以上説明した各種のハードウェア構成物２０４は、コントロールボックスフレーム２０３の段部２０５によって形成される当該段部２０５の上方空間に侵入しないように配置されている。つまり、段部２０５によって、コントロールボックスフレーム２０３には高さが低い先端側の部分と高さが高い部分とが形成されている。図８に示すように、第３のファン２１６、接続用ボード２１９の一部、拡張ボード２２０、電源ユニット２２２は、コントロールボックスフレーム２０３の高さが高い部分に配置され、高さが低い先端部分よりも高い位置に位置付けられている。これに対して、ＨＤＤ２１４及び電源保護装置（ＵＰＳ）２２３は、コントロールボックスフレーム２０３の高さが低い部分に配置され、コントロールボックスフレーム２０３の高さよりも低い位置に位置付けられている。
【００２８】
図１０は、コントロールボックスフレーム２０３が装着された本体フレームに対して、キーボードユニットとディスプレイユニットとプリンタユニットと各種カバー（フロントカバー、サイドカバー、バックカバー１１１）とを装着する状態を示す分解斜視図である。ＰＯＳ端末１０１は、本体フレーム１５２に各部が支持されて構成されている。つまり、本体フレーム１５２は、扁平形状のフレーム構造体であり、先端側の高さを他の部分の高さよりも低くする第２の段部１５３を有する。このような本体フレーム１５２には、コントロールボックスフレーム２０３が収納されている。そして、キーボード１０２及び紙幣置き１０３はキーボードユニット１５４として一体化され、第２の段部１５３の上面部分に固定される。奥右側にオペレータ用と客面用とのそれぞれのディスプレイ１０４ａ，１０４ｂは、ディスプレイユニット１５５として一体化され、本体フレーム１５２の第２の段部１５３ではない部分の上面に固定される。そして、プリンタ１０５はプリンタユニット１５６として構成され、本体フレーム１５２の第２の段部１５３ではない部分の上面であって、ディスプレイユニット１５５の隣接位置に固定される。さらに、本体フレーム１５２の正面と両側面と背面とは、これらの正面と背面と両側面とにそれぞれ着脱自在に取り付けられるフロントカバー１５７と左右一対のサイドカバー１５８と前述したバックカバー１１１とによって覆われている。
【００２９】
ここで、図３を参照してＰＯＳ端末１０１の左側面、背面から見て右側面にはその背面近くに位置させて第１の通風孔１５１が形成されていることを前述した。この第１の通風孔１５１は、図１０に示すように、左側のサイドカバー１５８の後方位置に形成されている。
【００３０】
また、図３に示すように、コントローラ２０１の背面には各種のコネクタ２１０が配置されている。したがって、これらのコネクタ２１０には図示しない各種のコネクタが接続され、これらのコネクタ２１０に接続された図示しないコネクタがコントローラ２０１の背面から突出することになる。そこで、本実施の形態では、バックカバー１１１がそのようなコントローラ２０１の背面から突出する図示しないコネクタの配置空間を提供することになる。バックカバー１１１は、ＰＯＳ端末１０１の側面から見た側面形状が円弧状に出っ張って形成されているので、このような円弧状の出っ張り部分が図示しないコネクタの配置空間となる。
【００３１】
図１１は、本体フレーム１５２に対して、キーボードユニット１５４とディスプレイユニット１５５とプリンタユニット１５６とコントロールボックスフレーム２０３とを装着する状態を示す分解斜視図である。図１２は、ディスプレイユニット１５５とプリンタユニット１５６とが装着された本体フレーム１５２に対して、キーボードユニット１５４とコントロールボックスフレーム２０３とフロントカバー１５７とを装着する状態を示す右側面図である。コントロールボックスフレーム２０３は、本体フレーム１５２の第２の段部１５３に段部２０５を位置付けるようにして本体フレーム１５２の後部より装着される。コントロールボックスフレーム２０３は、本体フレーム１５２に対して引き出し自在である。
【００３２】
図１３は、コントロールボックスフレーム２０３が装着されてディスプレイユニット１５５とプリンタユニット１５６とバックカバー１１１とが装着された本体フレーム１５２に対して、キーボードユニット１５４とフロントカバー１５７とを装着する状態を示す右側面図である。図１３に示すように、本体フレーム１５２にコントロールボックスフレーム２０３を装着させたなら、キーボードユニット１５４及びフロントカバー１５７を本体フレーム１５２に取り付け、さらに、図１３には図示しないが左右一対のサイドカバー１５８を本体フレーム１５２に取り付け、これによってＰＯＳ端末１０１が完成する。
【００３３】
図１４は、完成したＰＯＳ端末１０１を示す右側面図である。
【００３４】
なお、図１０〜図１３中、本体フレーム１５２に対してハードウェア構成物２０４が全く装着されていない状態のコントロールボックスフレーム２０３が装着される状態が示されているが、実際の製造時には、本体フレーム１５２に対してハードウェア構成物２０４の全部又は一部が装着された状態のコントロールボックスフレーム２０３が装着されることになる。
【００３５】
このような構成において、本実施の形態のＰＯＳ端末１０１によれば、バックカバー１１１とバックパネル１１３との間にシート１１２を位置させることができ、一方のメッセージシート１１２ｂに記載されたメッセージ１２１を顧客に提供することができる。この際、バックカバー１１１及びバックパネル１１３は、顧客に対面するＰＯＳ端末１０１の背面の略全幅に渡り形成されているので、メッセージシート１１２ｂも同様にＰＯＳ端末１０１の背面の略全幅に渡り位置付けることができる。
【００３６】
ここで、メッセージシート１１２ｂは、シート保持部１２０を構成する六つの保持突起１２０ａ〜ｆとバックパネル１１３の内周面との間にＰＥＴフィルムシート１１２ａと共に挟み込むだけで、容易にバックパネル１１３に装着することができる。この際、二枚のシート１１２はバックパネル１１３の円弧形状に沿って湾曲するために復元力が作用し、本の形状に復元しようとする。とりわけ、ＰＥＴフィルムシート１１２ａの復元力が強い。これにより、メッセージシート１１２ｂはＰＥＴフィルムシート１１２ａの復元力によってバックパネル１１３の内周面に押し付けられ、バックパネル１１３の内周面に密着する。これにより、メッセージシート１１２ｂは弛みなく綺麗な状態でバックパネル１１３
に装着される。
【００３７】
そして、メッセージシート１１２ｂに記載されるメッセージ１２１は、例えばＰＯＳ端末１０１が設置される店舗等において容易に作成可能である。このため、店側から発信するメッセージ１２１を簡易な手法で顧客に提供することができる。
【００３８】
さらに、コントロールボックスフレーム２０３の左空間２０７には、奥側に位置させて電源ユニット２２２が収納されていることから、熱源となる電源ユニット２２２によって発生した熱を左空間２０７から逃がす必要が生ずる。この排熱を担っているのがコントロールボックスフレーム２０３の左空間２０７における背面壁に配置された図示しない第１のファン及び第１の排気用開口部２０２である。つまり、第１のファンは、コントロールボックスフレーム２０３の左空間２０７において前方から後方への空気流を生成し、第１の排気用開口部２０２からコントローラ２０１の外部に排熱する。この後、コントローラ２０１の外部に排熱された熱を伴う空気流は、バックカバー１１１に形成された排気路１２２によってその進行方向を直角に曲げられ、左側のサイドカバー１５８の後方位置に形成された第１の通風孔１５１よりＰＯＳ端末１０１の外部に排気される。したがって、高温の排気流はＰＯＳ端末１０１の左側面から排気されることになり、排気流が顧客の方向に向かってしまうことを回避することができる。しかも、このような排気の流路を採用することで、メッセージシート１１２ｂの幅をＰＯＳ端末１０１の略全幅に渡り確保することができ、顧客に対してより効果的にメッセージ伝達を行なうことができる。
【符号の説明】
【００３９】
１０２：キーボード，１０４：ディスプレイ（１０４ａ：オペレータ用のディスプレイ、１０４ｂ：客面用のディスプレイ），１０５：プリンタ，１１１：バックカバー，１１２：シート（１１２ａ：ＰＥＴフィルムシート、１１２ｂ：メッセージシート），１１２ａ：ＰＥＴフィルム（ＰＥＴフィルムシート），１１３：バックパネル，１１４：背面部，１２０：シート保持部，１２２：排気路，１５２：本体フレーム，１５３：第２の段部，１５７：フロントカバー，１５８：サイドカバー，２０３：コントロールボックスフレーム，２０４：ハードウェア構成物，２０５：段部，２２２：電源ユニット  
【先行技術文献】
【特許文献】
【００４０】
【特許文献１】実用新案登録第３０６５５２７号公報
【特許文献２】特開２００２−４９３１３公報
【図１】
2011008812.tif 000003
【図２】
2011008812.tif 000004
【図３】
2011008812.tif 000005
【図４】
2011008812.tif 000006
【図５】
2011008812.tif 000007
【図６】
2011008812.tif 000008
【図７】
2011008812.tif 000009
【図８】
2011008812.tif 000010
【図９】
2011008812.tif 000011
【図１０】
2011008812.tif 000012
【図１１】
2011008812.tif 000013
【図１２】
2011008812.tif 000014
【図１３】
2011008812.tif 000015
【図１４】
2011008812.tif 000016